(57)【要約】【課題】  最下段の前面と最上段の前面との水平方向の無駄なスペースを無くすと共に、各々のコンクリートブロックを一体化させるための現場打コンクリートの打設量を抑制することが出来るコンクリートブロック積み擁壁を提供する。【解決手段】  擁壁１は、第１コンクリートブロック２ａ〜２ｄと、第１コンクリートブロック２ｄの上部に設置された第２コンクリートブロック３ａ、３ｂとを備えている。第１コンクリートブロック２ａ〜２ｄは、その前面が鉛直の勾配を有する第１前壁２１と、後方側に傾斜する勾配を有する第１後壁２２とを備えている。又、第１コンクリートブロック２ａ〜２ｄの第１後壁２２の各々の後方面には、アンカー筋３１ａ〜３１ｄが取り付けられている。そして、第１後壁２２の後方側には、アンカー筋３１ａ〜３１ｄを覆うように、上下に連続したコンクリート体８が打設され、第１コンクリートブロック２ａ〜２ｄは一体化される。【選択図】  図１
2010126927.tif 000002
【特許請求の範囲】
【請求項１】
複数のコンクリートブロックを上下に積み重ねることによって形成されるコンクリートブロック積み擁壁であって、
前記コンクリートブロックに少なくとも含まれ、前壁を上下に整列させた状態で設置される複数の第１コンクリートブロックの各々は、鉛直の勾配を有する第１勾配面よりなる第１前壁と、前記第１前壁に対向すると共に、後方側に傾斜する第２勾配面よりなる第１後壁とを備え、
前記第１コンクリートブロックの各々の前記第１後壁の前記第２勾配面は連続した傾斜面を形成し、
更に、前記第１コンクリートブロックの各々の前記第１後壁の後方側に形成され、前記第１後壁の各々を上下に一体化する一体化手段を備えた、コンクリートブロック積み擁壁。
【請求項２】
複数のコンクリートブロックを上下に積み重ねることによって形成されるコンクリートブロック積み擁壁であって、
前記コンクリートブロックに少なくとも含まれ、前壁を上下に整列させた状態で設置される複数の第１コンクリートブロックの各々は、鉛直の勾配を有する第１勾配面よりなる第１前壁と、前記第１前壁に対向すると共に、鉛直の勾配を有する第２勾配面よりなる第１後壁とを備え、
前記第１コンクリートブロックの各々は、上方に行くに従って前記第１前壁と前記第１後壁との水平距離が増加し、
更に、前記第１コンクリートブロックの各々の前記第１後壁の後方側に形成され、前記第１後壁の各々を上下に一体化する一体化手段を備えた、コンクリートブロック積み擁壁。
【請求項３】
前記一体化手段は、
前記第１コンクリートブロックの各々の前記第１後壁の後方面に取り付けられたアンカー筋と、
前記アンカー筋を覆うように前記第１後壁の各々に沿って上下に連続して形成されたコンクリート体とを含む、請求項１又は請求項２記載のコンクリートブロック積み擁壁。
【請求項４】
前記一体化手段は、
前記第１コンクリートブロックの各々に対して形成され、前記第１後壁の後方に同一距離で対向すると共に、前記第２勾配面と平行な勾配を有する第３勾配面よりなる控え後壁と、
前記第１コンクリートブロックの各々において、前記第１後壁の各々と前記控え後壁の各々との間の空間に形成されたコンクリート体とを含む、請求項１記載のコンクリートブロック積み擁壁。
【請求項５】
前記第１コンクリートブロックの各々の形状は、設置位置において後方面に加わる土圧に対して安定する条件で設定され、
更に、前記第１コンクリートブロックの上に第２コンクリートブロックが設置され、
前記第２コンクリートブロックは、
鉛直の勾配を有する第４勾配面よりなると共に、前記第１コンクリートブロックの前記第１前壁の上に設置される第２前壁と、前記第２前壁に対向する第２後壁とを備え、
前記第２後壁は、前記第１コンクリートブロックの最上段の前記第１後壁の上方位置より前記第２前壁側に位置する、請求項１から請求項４のいずれかに記載のコンクリートブロック積み擁壁。
【請求項６】
前記第１コンクリートブロックの各々には、前記第１前壁と前記第１後壁とを平面視矩形枠状に接続する第１側壁及び第２側壁が形成され、
前記第１側壁には、上下方向に延びる凹部が形成され、
前記第２側壁には、上下方向に延びると共に、隣接する同一段の前記第１コンクリートブロックの前記凹部に水平方向において係合できる凸部が形成され、
前記凸部の水平方向の高さは前記凹部の水平方向の深さより低く、
隣接する前記第１コンクリートブロック同士における前記第１側壁と前記第２側壁との間にコンクリートが充填され硬化される、請求項１から請求項５のいずれかに記載のコンクリートブロック積み擁壁。
【請求項７】
前記第２側壁の前記凸部は、その中央部に形成された凹み部を有する、請求項６記載のコンクリートブロック積み擁壁。
【請求項８】
更に、前記第１コンクリートブロックの最下段ブロックの下に設置された第３コンクリートブロックを備え、
前記第３コンクリートブロックは、前記最下段ブロックと同一形状を有すると共に、その第３後壁は前記最下段ブロックの前記第１後壁に整列するように設置される、請求項１から請求項７のいずれかに記載のコンクリートブロック積み擁壁。
【発明の詳細な説明】
【技術分野】
【０００１】
この発明はコンクリートブロック積み擁壁に関し、特に、山間部等に道路の拡幅を形成する際、前壁の法勾配が略垂直のコンクリート擁壁上部へ、道路の拡幅施工を同時且つ容易に、しかも、経済的に出来るコンクリートブロック積み擁壁に関するものである。
【背景技術】
【０００２】
山間部等において道路の拡幅施工を行う際、一般的には所定の勾配、例えば５分（縦１：横０．５の比率）程度の勾配面を有する前壁を備えた通常形状のコンクリートブロックを積み上げて擁壁を形成し、その上部に道路を施工していた。しかしながら、全ての前壁が所定の勾配を有しているため、最下段の前面と最上段の前面との水平方向の間隔が大きなものとなっており、有効にスペースを活用することが出来なかった。
【０００３】
そこで、最下段の前面と最上段の前面との水平方向の間隔を小さなものにするコンクリートブロック積み擁壁が種々提案されている。これらの中で、上段部のコンクリートブロックの前壁が急な勾配面を有しているコンクリートブロック積み擁壁について、以下に説明する。
【０００４】
図１４は特許文献１で開示されたコンクリートブロック積み擁壁の施工断面図であり、図１５は図１４で示した擁壁の一部の概略構造を示した斜視図であり、図１６は図１４で示した擁壁に用いられているコンクリートブロックの一部の概略構造を示した斜視図である。
【０００５】
これらの図を参照して、擁壁７０は、基礎コンクリート６の上部に４段設置された通常形状の第１コンクリートブロック７１ａ〜７１ｄと、第１コンクリートブロック７１ｄの上部に、道路拡幅用の第２コンクリートブロック７２ａ〜７２ｃが３段積まれた状態で構成されている。
【０００６】
第１コンクリートブロック７１ａ〜７１ｄは、その前面及び後面の法勾配が５分程度となるような形状を有しており、他の形状は基本的には後述する第２コンクリートブロック７２ａ〜７２ｃと同一形状となっている。そして、第２コンクリートブロック７２ａ〜７２ｃは、図１６に示されているように、矩形平板状でその前面の法勾配が略垂直の前壁７７と、その内側の中央に接続された控壁７８と、控壁７８に接続され、前壁７７と略平行に接続される平板状の後壁７９とから構成されている。又、第１コンクリートブロック７１ａ〜７１ｄ及び第２コンクリートブロック７２ａ〜７２ｃの各々の前壁と後壁との間のスペースには、上下方向に延びる鉄筋７６が配置されていると共に、現場打コンクリート７５が打設されている。従って、第１コンクリートブロック７１ａ〜７１ｄ及び第２コンクリートブロック７２ａ〜７２ｃは上下、左右に強固に連結されている。
【０００７】
そして、擁壁７０の上部に基礎ブロック１１が設置されると共に、歩道面１４及び車道面１５が形成され、道路が拡幅される。
【０００８】
擁壁７０はこのように構成されているため、第２コンクリートブロック７２ａ〜７２ｃの前壁７７が鉛直方向に整列する。従って、前壁７７の勾配面の勾配が略垂直となる。前壁７７の勾配面の勾配が略垂直となることで、例えば通常形状の第１コンクリートブロック７１のみを積み上げた擁壁と比較すると、擁壁の最下段の前面と最上段の前面との水平方向の間隔が減少することになる。即ち、道路拡幅用のスペースが拡大する。
【特許文献１】特開２００８−１４４５８５号公報
【発明の開示】
【発明が解決しようとする課題】
【０００９】
上記のような従来のコンクリートブロック積み擁壁では、その前面の法勾配が５分程度である通常形状のコンクリートブロックを積み上げた擁壁と比較すると、道路拡幅用のスペースが拡大する。しかしながら、図１４で示したように、擁壁７０の最下段の前面と最上段の前面との間には、水平方向の間隔に距離Ｌが発生している。即ち、この距離Ｌのスペースが道路拡幅用として十分活用されているとは言えない。
【００１０】
ここで、上述した課題を解決するため、例えば、図１４で示した第１コンクリートブロック７１ａ〜７１ｄの前壁の勾配面の勾配を略垂直に形成し、第１コンクリートブロック７１ａ〜７１ｄ及び第２コンクリートブロック７２ａ〜７２ｃの各々の前壁を鉛直方向に整列させる。すると、第１コンクリートブロック７１ａ〜７１ｄ及び第２コンクリートブロック７２ａ〜７２ｃの各々のスペースに打設する現場打コンクリートの打設量が大きく増加してしまう。
【００１１】
この発明は上記のような課題を解決するためになされたもので、最下段の前面と最上段の前面との水平方向の無駄なスペースを無くすと共に、各々のコンクリートブロックを一体化させるための現場打コンクリートの打設量を抑制することが出来るコンクリートブロック積み擁壁を提供することを目的とする。
【課題を解決するための手段】
【００１２】
上記の目的を達成するために、請求項１記載の発明は、複数のコンクリートブロックを上下に積み重ねることによって形成されるコンクリートブロック積み擁壁であって、コンクリートブロックに少なくとも含まれ、前壁を上下に整列させた状態で設置される複数の第１コンクリートブロックの各々は、鉛直の勾配を有する第１勾配面よりなる第１前壁と、第１前壁に対向すると共に、後方側に傾斜する第２勾配面よりなる第１後壁とを備え、第１コンクリートブロックの各々の第１後壁の第２勾配面は連続した傾斜面を形成し、更に、第１コンクリートブロックの各々の第１後壁の後方側に形成され、第１後壁の各々を上下に一体化する一体化手段を備えたものである。
【００１３】
このように構成すると、第１コンクリートブロックにおける最下段の第１前壁と最上段の第１前壁との水平距離の差が無くなる。又、第１コンクリートブロックの第１後壁の各々は上下に一体化する。
【００１４】
請求項２記載の発明は、複数のコンクリートブロックを上下に積み重ねることによって形成されるコンクリートブロック積み擁壁であって、コンクリートブロックに少なくとも含まれ、前壁を上下に整列させた状態で設置される複数の第１コンクリートブロックの各々は、鉛直の勾配を有する第１勾配面よりなる第１前壁と、第１前壁に対向すると共に、鉛直の勾配を有する第２勾配面よりなる第１後壁とを備え、第１コンクリートブロックの各々は、上方に行くに従って第１前壁と第１後壁との水平距離が増加し、更に、第１コンクリートブロックの各々の第１後壁の後方側に形成され、第１後壁の各々を上下に一体化する一体化手段を備えたものである。
【００１５】
このように構成すると、第１コンクリートブロックにおける最下段の第１前壁と最上段の第１前壁との水平距離の差が無くなる。又、第１コンクリートブロックの第１後壁の各々は上下に一体化する。
【００１６】
請求項３記載の発明は、請求項１又は請求項２記載の発明の構成において、一体化手段は、第１コンクリートブロックの各々の第１後壁の後方面に取り付けられたアンカー筋と、アンカー筋を覆うように第１後壁の各々に沿って上下に連続して形成されたコンクリート体とを含むものである。
【００１７】
このように構成すると、上下の第１コンクリートブロックの第１後壁は、アンカー筋を介してコンクリート体によって一体化する。
【００１８】
請求項４記載の発明は、請求項１記載の発明の構成において、一体化手段は、第１コンクリートブロックの各々に対して形成され、第１後壁の後方に同一距離で対向すると共に、第２勾配面と平行な勾配を有する第３勾配面よりなる控え後壁と、第１コンクリートブロックの各々において、第１後壁の各々と控え後壁の各々との間の空間に形成されたコンクリート体とを含むものである。
【００１９】
このように構成すると、第１コンクリートブロックにおける第１後壁の各々と控え後壁の各々との間に形成されたコンクリート体によって、上下の第１コンクリートブロックの第１後壁は一体化する。
【００２０】
請求項５記載の発明は、請求項１から請求項４のいずれかに記載の発明の構成において、第１コンクリートブロックの各々の形状は、設置位置において後方面に加わる土圧に対して安定する条件で設定され、更に、第１コンクリートブロックの上に第２コンクリートブロックが設置され、第２コンクリートブロックは、鉛直の勾配を有する第４勾配面よりなると共に、第１コンクリートブロックの第１前壁の上に設置される第２前壁と、第２前壁に対向する第２後壁とを備え、第２後壁は、第１コンクリートブロックの最上段の第１後壁の上方位置より第２前壁側に位置するものである。
【００２１】
このように構成すると、第２コンクリートブロックは、少なくとも最上段の第１コンクリートブロックに対してコンパクトになる。
【００２２】
請求項６記載の発明は、請求項１から請求項５のいずれかに記載の発明の構成において、第１コンクリートブロックの各々には、第１前壁と第１後壁とを平面視矩形枠状に接続する第１側壁及び第２側壁が形成され、第１側壁には、上下方向に延びる凹部が形成され、第２側壁には、上下方向に延びると共に、隣接する同一段の第１コンクリートブロックの凹部に水平方向において係合できる凸部が形成され、凸部の水平方向の高さは凹部の水平方向の深さより低く、隣接する第１コンクリートブロック同士における第１側壁と第２側壁との間にコンクリートが充填され硬化されるものである。
【００２３】
このように構成すると、水平方向に隣接する第１コンクリートブロック同士が、凹部と凸部とで係合すると共にコンクリートで一体化される。
【００２４】
請求項７記載の発明は、請求項６記載の発明の構成において、第２側壁の凸部は、その中央部に形成された凹み部を有するものである。
【００２５】
このように構成すると、コンクリートは凹み部にも充填される。
【００２６】
請求項８記載の発明は、請求項１から請求項７のいずれかに記載の発明の構成において、更に、第１コンクリートブロックの最下段ブロックの下に設置された第３コンクリートブロックを備え、第３コンクリートブロックは、最下段ブロックと同一形状を有すると共に、その第３後壁は最下段ブロックの第１後壁に整列するように設置されるものである。
【００２７】
このように構成すると、第３コンクリートブロックの前壁は第１コンクリートブロックの第１前壁より前方に位置する。
【発明の効果】
【００２８】
以上説明したように、請求項１記載の発明は、第１コンクリートブロックにおける最下段の第１前壁と最上段の第１前壁との水平距離の差が無くなるため、効率的なコンクリートブロック積み擁壁となる。又、第１コンクリートブロックの第１後壁の各々は上下に一体化するため、コンクリート打設量を抑制出来ると共に、上下の第１コンクリートブロックの水平方向のずれを防止出来る。
【００２９】
請求項２記載の発明は、第１コンクリートブロックにおける最下段の第１前壁と最上段の第１前壁との水平距離の差が無くなるため、効率的なコンクリートブロック積み擁壁となる。又、第１コンクリートブロックの第１後壁の各々は上下に一体化するため、コンクリート打設量を抑制出来ると共に、上下の第１コンクリートブロックの水平方向のずれを防止出来る。
【００３０】
請求項３記載の発明は、請求項１又は２記載の発明の効果に加えて、上下の第１コンクリートブロックの第１後壁は、アンカー筋を介してコンクリート体によって一体化するため、一体化状態の信頼性が向上する。
【００３１】
請求項４記載の発明は、請求項１記載の発明の効果に加えて、第１コンクリートブロックにおける第１後壁の各々と控え後壁の各々との間に形成されたコンクリート体によって、上下の第１コンクリートブロックの第１後壁は一体化するため、一体化状態の信頼性が向上する。
【００３２】
請求項５記載の発明は、請求項１から請求項４のいずれかに記載の発明の効果に加えて、第２コンクリートブロックは、少なくとも最上段の第１コンクリートブロックに対してコンパクトになるため、強度面に問題無く、工事面及び経済面で有利な擁壁となる。
【００３３】
請求項６記載の発明は、請求項１から請求項５のいずれかに記載の発明の効果に加えて、水平方向に隣接する第１コンクリートブロック同士が、凹部と凸部とで係合すると共にコンクリートで一体化されるため、これらの水平方向のずれを防止すると共に、充填するコンクリートの使用量が削減出来る。
【００３４】
請求項７記載の発明は、請求項６記載の発明の効果に加えて、コンクリートは凹み部にも充填されるため、水平方向に隣接する第１コンクリートブロック同士の水平方向及び垂直方向のずれの防止効果が更に向上する。
【００３５】
請求項８記載の発明は、請求項１から請求項７のいずれかに記載の発明の効果に加えて、第３コンクリートブロックの前壁は第１コンクリートブロックの第１前壁より前方に位置するため、擁壁の底板面積が増加し、地盤反力を低減する。
【発明を実施するための最良の形態】
【００３６】
図１はこの発明の第１の実施の形態によるコンクリートブロック積み擁壁の施工断面図であり、図２は図１で示した擁壁の一部の概略構造を示した斜視図であり、図３は図１で示した擁壁に用いられているコンクリートブロックの一部の概略構造を示した斜視図であり、図４は図１で示したＩＶ−ＩＶラインの拡大断面図である。
【００３７】
これらの図を参照して、擁壁１は、基礎コンクリート６の上に４段設置された第１コンクリートブロック２ａ〜２ｄと、最上段の第１コンクリートブロック２ｄの上部に、２段設置された第２コンクリートブロック３ａ、３ｂとを備えている。そして、最上段に位置する第２コンクリートブロック３ｂの上部に、手摺１３の設置用の基礎ブロック１１が設置されており、これに手摺１３が固定されると共に、縁石１２を介して歩道面１４及び車道面１５が形成されている。
【００３８】
まず、第１コンクリートブロック２ａ〜２ｄの形状等について、以下に説明する。
【００３９】
第１コンクリートブロック２ａ〜２ｄは、図３に示されているように、矩形平板状でその前面が鉛直の勾配を有する第１勾配面よりなる第１前壁２１と、第１前壁２１に対向すると共に、後方側に傾斜する５分程度の勾配を有する第２勾配面よりなる第１後壁２２とを備えている。更に、第１前壁２１と第１後壁２２とを平面視矩形枠状に接続する、平板状の第１側壁２３ａ及び第２側壁２３ｂと、第１後壁２２の下方側に、第１前壁２１に向かう方向に延びる矩形平板状の底板２４とを備えている。尚、底板２４には、略中央部に上下方向に貫通する排水孔３３が形成されており、排水孔３３によって下方への排水が可能となっている。
【００４０】
又、第１コンクリートブロック２ａ〜２ｄの一体化手段の一方として、第１コンクリートブロック２ａ〜２ｄの第１後壁２２の各々の後方面には、アンカー筋３１、３２が取り付けられている。そして、これらの第１後壁２２の後方側には、各々のアンカー筋３１、３２を覆うように、第１後壁２２の各々に沿って上下に連続したコンクリート体８が一体化手段の他方として打設されている。従って、第１コンクリート体２ａ〜２ｄは上下に一体化されることになる。第１コンクリート２ａ〜２ｄの一体化手段についての詳細は後述する。
【００４１】
更に、第１側壁２３ａには上下方向に延びる凹部２５が形成されると共に、第２側壁２３ｂには上下方向に延びる凸部２６が形成されている。凹部２５及び凸部２６の詳細な形状や効果については後述する。
【００４２】
そして、図１等に示されているように、上下に４段設置された第１コンクリートブロック２ａ〜２ｄは、各々の第１前壁２１が上下に整列した状態で設置されている。更に、４段設置された第１コンクリートブロック２ａ〜２ｄは、各々の第１後壁２２の第２勾配面が、連続した傾斜面となるように形成されている。
【００４３】
次に、第２コンクリートブロック３ａ、３ｂの形状等について、以下に説明する。
【００４４】
第２コンクリートブロック３ａ、３ｂは、図３で示した第１コンクリートブロック２におけるアンカー筋３１、３２を除いたものと類似形状である。そして、矩形平板状でその前面が鉛直の勾配を有する第４勾配面よりなる第２前壁５１が、その下方に位置する第１コンクリートブロック２ｄの第１前壁２１の上になるように設置されている。
【００４５】
又、第２コンクリートブロック３ａ、３ｂの各々の第２後壁５２は、第１コンクリートブロック２ａ〜２ｄの最上段に位置する第１コンクリートブロック２ｄの第１後壁２２の上方位置より第２前壁５１側に位置するように形成されている。即ち、第２コンクリートブロック３ａ、３ｂは、少なくとも最上段の第１コンクリートブロック２ｄに対してコンパクトになる。従って、第２コンクリートブロック３ａ、３ｂの製造や、これらの設置に関する掘削等の観点から、後述する強度面に問題が無い状態で、工事面及び経済面で有利な擁壁１となる。
【００４６】
尚、第１コンクリートブロック２ａ〜２ｄの第１後壁２２が有する第１勾配面の勾配は５分程度としているが、３分（１：０．３）勾配から６分（１：０．６）勾配であれば、同様に適用出来る。
【００４７】
又、第２コンクリートブロック３ａ、３ｂの第２後壁５２が有する勾配面の勾配は５分程度としているが、５分勾配から垂直勾配であれば、同様に適用出来る。
【００４８】
又、第１コンクリートブロック２ａ〜２ｄ及び第２コンクリートブロック３ａ、３ｂは、いずれもプレキャスト製品であり、工場にて製造されるものである。従って、各構成部分は一体となって製造されるため、強度上の信頼性が高い。
【００４９】
次に、第１コンクリートブロック２ａ〜２ｄの一体化手段の詳細及び効果について、以下に説明する。
【００５０】
まず、第１コンクリートブロック２ａ〜２ｄは、各々の第１前壁２１が上下に整列した状態で設置されている。従って、第１コンクリートブロック２ａ〜２ｄにおける最下段の前壁と最上段の前壁との水平距離の差が無くなることになる。従って、道路拡幅用スペースを十分活用することが可能となり、効率的な擁壁１となる。
【００５１】
又、上述した通り、第１コンクリートブロック２ａ〜２ｄの各々の第１後壁２２の後方面には、アンカー筋３１、３２が取り付けられている。そして、アンカー筋３１、３２を覆うように、第１後壁２２の各々に沿って上下に連続してコンクリート体８が打設されている。このコンクリート体８によって、上下の第１コンクリートブロック２ａ〜２ｄの各々の第１後壁２２は、アンカー筋３１、３２を介して一体化する。即ち、上下の第１コンクリートブロック２ａ〜２ｄは一体化し、一体化状態の信頼性が向上する。従って、上下の第１コンクリートブロック２ａ〜２ｄの水平方向のずれを防止することが可能となる。又、上下の第１コンクリートブロック２ａ〜２ｄの内部スペースへのコンクリート充填による一体化等の必要が無くなるため、コンクリート打設量を抑制することが可能となる。
【００５２】
次に、第１側壁２３ａの凹部２５及び第２側壁２３ｂの凸部２６の詳細な形状等について、以下に説明する。
【００５３】
上述した通り、第１コンクリートブロック２には、第１側壁２３ａに上下方向に延びる凹部２５が形成されており、第２側壁２３ｂに上下方向に延びる凸部２６が形成されている。
【００５４】
ここで、図４を参照して、隣接する同一段の第１コンクリートブロック２ｂ−１、２ｂ−２においては、図における下方側に位置する第１コンクリートブロック２ｂ−１の凸部２６は、図における上方側に位置する第１コンクリートブロック２ｂ−２の凹部２５に水平方向に係合出来るように形成されている。更に、凸部２６の水平方向の高さは、凹部２５の水平方向の深さよりも低く形成されている。従って、凹部２５と凸部２６とを係合させると、これらの間には若干の隙間が発生することになる。そして、この隙間にコンクリート９を充填し、硬化させることで、隣接する同一段の第１コンクリートブロック２ｂ−１、２ｂ−２が一体化される。従って、これらの水平方向のずれを防止すると共に、凸部２６の突出している分だけ、これらの一体化に必要な充填するコンクリートの使用量を削減することが出来る。
【００５５】
又、凸部２６には、その中央部に平面視矩形状の凹み部４１が形成されている。従って、上述したコンクリート９は、この凹み部４１にも充填されることになる。そのため、隣接する同一段の第１コンクリートブロック２ｂ−１、２ｂ−２同士の水平方向及び垂直方向のずれの防止効果が更に向上する。
【００５６】
次に、擁壁１の施工順序について説明する。
【００５７】
まず、擁壁１を形成する山の斜面を所定量掘削した後、水平に形成された地盤面の上に擁壁１の基礎となる基礎コンクリート６を打設する。その上に、第１コンクリートブロック２ａを設置し、コンクリート体８の打設、図４で示したコンクリート９の充填及び第１コンクリートブロック２ａの内部スペースに土砂２７の充填をおこなう。そして、コンクリート体８の後方側には、排水用の裏込砕石１９をコンクリート体８に沿って設置する。このように第１コンクリートブロック２ａを設置した後、同様に第１コンクリートブロック２ｂ〜２ｄを下方側から順次設置し、同様にコンクリート体８の打設等をおこなう。この時、各々の第１前壁２１が上下に整列する状態となるように設置する。
【００５８】
次に、最上段の第１コンクリートブロック２ｄの上部に、第２コンクリートブロック３ａを、第２前壁５１が第１コンクリートブロック２ｄの第１前壁２１の上に位置するように設置する。更に、第２コンクリートブロック３ａの第２後壁５２の後方側に、排水用の裏込砕石を第２後壁５２に沿って設置する。このように、第２コンクリートブロック３ａを設置した後、同様に第２コンクリートブロック３ｂを設置する。
【００５９】
次に、最上段の第２コンクリートブロック３ｂの上部に、上述した歩道面１４や車道面１５を形成すると、擁壁１が完成する。
【００６０】
尚、一体化された第１コンクリートブロック２ａ〜２ｂは、これらの設置位置において、後方側から加わる土圧に対して安定する条件（ずれと転倒との防止）で設定されている。即ち、後方側からの土圧によって第１コンクリートブロック２ａ〜２ｄの各々、特に最も大きな土圧がかかる第１コンクリートブロック２ａが横滑りして水平方向にずれたり、第１コンクリートブロック２ａ〜２ｄが前方に転倒したりすることの無いよう、第１コンクリートブロック２ａ〜２ｄを一体化させ、重量を増加させている。具体的には、水平方向のずれと転倒とを防止することが出来る重量となるまで、第１コンクリートブロック２ａ〜２ｄを積み上げると共に、これらをコンクリート体８で一体化させている。
【００６１】
このように第１コンクリートブロック２ａ〜２ｄを設定することで、擁壁１の安定条件は確保されることになる。そのため、コンクリートブロック２ｄの上方部分は、コンクリートブロック２ａ〜２ｄの転倒計算時の自重として加えることが出来る。そこで、第２コンクリートブロック３ａ、３ｂは、各々の深さに対する土圧に抵抗するだけの摩擦抵抗を得るために第２前壁５１から第２後壁５２までの長さ（控え長さ）を確保すれば良いことになる。即ち、第２コンクリートブロック３ａ、３ｂの重量を軽くすることが可能となる。従って、上述した通り、第２コンクリートブロック３ａ、３ｂは必要最低限の大きさで良いため、強度面に問題無く、工事面及び経済面で有利な擁壁１となる。
【００６２】
又、上述した通り、第１コンクリートブロック２ａ〜２ｄの各々の第１後壁２２の第２勾配面は、後方側に傾斜する連続した傾斜面を形成している。従って、垂直面のものに比べて背面に受ける土圧が減少するため、基礎コンクリート６のつま先を中心とした擁壁１の転倒防止の観点からは有利となる。
【００６３】
図５は図１で示した擁壁の施工効果を説明するための概略側面図である。
【００６４】
図５の（１）は、従来の擁壁７０を形成した状態を示している。第１コンクリートブロック７１ａ〜７１ｄ及び第２コンクリートブロック７２ａ、７２ｂの形状等については上述したため、ここではあえて繰り返さない。この場合、道路幅をＷだけ確保するには、山の斜面１０の道路施工位置より上方の部分６１を掘削する必要がある。
【００６５】
一方、図５の（２）に示すこの発明の第１の実施の形態による擁壁１であれば、第１コンクリートブロック２ａ〜２ｄ及び第２コンクリートブロック３ａ、３ｂの鉛直の勾配を有する勾配面よりなる前壁の各々が、上下に整列された状態で設置されている。従って、擁壁１の最上部における道路として使用出来る幅は、破線で示した図５の（１）に対応した位置からＷ１だけ拡大する。そのため、斜面１０はＷ１だけ掘削する必要が無くなることになる。即ち、道路幅Ｗを確保するには、上述した部分６１より少ない、山の斜面１０の道路施工位置より上方の部分６２を掘削すれば良い。従って、掘削に要する時間とコストとを削減することが可能となる。
【００６６】
図６はこの発明の第２の実施の形態によるコンクリートブロック積み擁壁の施工断面図であり、図７は図６で示した擁壁に用いられているコンクリートブロックの一部の概略構造を示した斜視図である。
【００６７】
これらの図を参照して、擁壁２０は、基礎コンクリート６の上に４段設置された第１コンクリートブロック２ａ〜２ｄと、最上段の第１コンクリートブロック２ｄの上部に、２段設置された第２コンクリートブロック３ａ、３ｂとを備えている。そして、最上段に位置する第２コンクリートブロック３ｂの上部に、歩道面１４及び車道面１５等の道路施設が形成されている。
【００６８】
第１コンクリートブロック２ａ〜２ｄは、図７で示したように、第１の実施の形態による第１コンクリートブロック２ａ〜２ｄと略同一形状であり、第１後壁２２及び底板２４の形状のみが異なっている。即ち、第１後壁２２は、第１前壁２１に対向すると共に、鉛直の勾配を有する第２勾配面よりなると共に、底板２４には排水孔が形成されていない。従って、コンクリートブロック２ａ〜２ｄの背面には、第１の実施の形態による第１コンクリートブロック２ａ〜２ｄの各々の第１後壁２２のように、連続した傾斜面が形成されることが無い。この実施の形態にあっては、第１コンクリートブロック２ａ〜２ｄの各々は、上方に行くに従って第１前壁２１と第１後壁２２との水平距離が増加するように形成されている。そして、第１コンクリートブロック２ａ〜２ｄの各々の底板２４の水平距離は、上述した第１前壁２１と第１後壁２２との水平距離の増加よりも長くなるように形成されている。従って、第１コンクリートブロック２ａ〜２ｄの第１後壁２２及び底板２４の各々は、連続した階段状に形成される。
【００６９】
そして、第１の実施の形態と同様に、これらの第１後壁２２の後方側には、各々のアンカー筋３１、３２を覆うように、第１後壁２２の各々に沿って上下に連続したコンクリート体８が打設されて、第１コンクリートブロック２ａ〜２ｄは上下に一体化される。
【００７０】
又、第２コンクリートブロック３ａ、３ｂは、図７で示した第１コンクリートブロック２のアンカー筋３１、３２を除いたものと類似形状である。
【００７１】
第１コンクリートブロック２ａ〜２ｄ及び第２コンクリートブロック３ａ、３ｂは、上記の様に形成されており、強度上の種々の設定条件については第１の実施の形態と同様であるため、その説明は繰り返さない。従って、第１の実施の形態と同様の効果を奏する擁壁２０となる。
【００７２】
尚、この擁壁２０の施工順序は、第１の実施の形態によるものと基本的に同一であるので、ここでの説明は繰り返さない。
【００７３】
図８はこの発明の第３の実施の形態によるコンクリートブロック積み擁壁の施工断面図であり、図９は図８で示した擁壁の一部の概略構造を示した斜視図であり、図１０は図８で示した擁壁に用いられているコンクリートブロックの一部の概略構造を示した斜視図である。
【００７４】
これらの図を参照して、擁壁３０は、基礎コンクリート６の上に４段設置された第１コンクリートブロック２ａ〜２ｄと、最上段の第１コンクリートブロック２ｄの上部に、２段設置された第２コンクリートブロック３ａ、３ｂとを備えている。そして、最上段に位置する第２コンクリートブロック３ｂの上部に、歩道面１４及び車道面１５等の道路施設が形成されている。
【００７５】
第１コンクリートブロック２ａ〜２ｄは、図１０に示されているように、矩形平板状でその前面が鉛直の勾配を有する第１勾配面よりなる第１前壁２１と、第１前壁２１に対向すると共に、後方側に傾斜する５分程度の勾配を有する第２勾配面よりなる第１後壁２２とを備えている。更に、第１前壁２１と後述する控え後壁２９とを平面視矩形枠状に接続する、平板状の第１側壁２３ａ及び第２側壁２３ｂと、第１後壁２２の下方側に、第１前壁２１に向かう方向に延びる矩形平板状の底板２４とを備えている。尚、底板２４には、略中央部に上下方向に貫通する排水孔３３が形成されており、排水孔３３によって下方への排水が可能となっている。
【００７６】
又、第１コンクリートブロック２ａ〜２ｄの一体化手段の一方として、第１後壁２２の後方側に対向すると共に、第１後壁２２が有する第２勾配面と平行な勾配を有する第３勾配面よりなる控え後壁２９を備えている。上述した通り、第１側壁２３ａ及び第２側壁２３ｂは、第１前壁２１及び第１控え壁２９を平面視矩形状枠に接続するように形成されている。従って、第１後壁２２、第１側壁２３ａの一部、第２側壁２３ｂの一部及び第１控え壁２９の間に空間４６が形成される。
【００７７】
第１コンクリートブロック２ａ〜２ｄの各々は上記の様な形状を有すると共に、第１コンクリートブロック２ａ〜２ｄの各々の第１後壁２２と第１控え壁２９との距離は同一となるように形成される。そして、図８等に示されているように、上下に４段設置された第１コンクリートブロック２ａ〜２ｄは、各々の第１前壁２１が上下に整列した状態で設置されている。更に、４段設置された第１コンクリートブロック２ａ〜２ｄは、各々の第１後壁２２の第２勾配面が、連続した傾斜面となるように形成されている。従って、各々の第１控え壁２９の第３勾配面においても連続した傾斜面を形成する。即ち、各々の空間４６は上下斜め方向に連通することになる。そして、この空間４６に、コンクリート体８を第１コンクリートブロック２ａ〜２ｄの一体化手段の他方として打設することによって、上下の第１コンクリートブロック２ａ〜２ｄの各々は一体化する。従って、一体化状態の信頼性が向上する。
【００７８】
又、第２コンクリートブロック３ａ、３ｂは、第１の実施の形態による第２コンクリートブロック３ａ、３ｂと同一形状である。
【００７９】
第１コンクリートブロック２ａ〜２ｄ及び第２コンクリートブロック３ａ、３ｂは、上記の様に形成されており、強度上の種々の設定条件については第１の実施の形態と同様であるため、その説明は繰り返さない。従って、第１の実施の形態と同様の効果を奏する擁壁３０となる。
【００８０】
尚、この擁壁３０の施工順序は、コンクリート体８の打設のための材料の準備が不要となる点を除いて、第１の実施の形態によるものと基本的に同一であるので、ここでの説明は繰り返さない。
【００８１】
図１１はこの発明の第４の実施の形態によるコンクリートブロック積み擁壁の施工断面図である。
【００８２】
これらの図を参照して、擁壁４０は、３段設置された第１コンクリートブロック２ａ〜２ｃと、最上段の第１コンクリートブロック２ｃの上部に、２段設置された第２コンクリートブロック３ａ、３ｂと、最下段の第１コンクリートブロック２ａと基礎コンクリート６との間に１段設置された第３コンクリートブロック４とを備えている。そして、最上段に位置する第２コンクリートブロック３ｂの上部に、歩道面１４及び車道面１５等の道路施設が形成されている。
【００８３】
第１コンクリートブロック２ａ〜２ｃは、第１の実施の形態による第１コンクリートブロック２ｂ〜２ｄと同一形状である。又、第２コンクリートブロック３ａ、３ｂは、第１の実施の形態による第２コンクリートブロック３ａ、３ｂと同一形状である。
【００８４】
第３コンクリートブロック４は、第１コンクリートブロック２ａ〜２ｃの最下段に位置する第１コンクリートブロック２ａと同一形状を有している。そして、第３コンクリートブロック４の第３後壁５５は、第１コンクリートブロック２ａの第１後壁２２に整列するように配置されている。更に、第１コンクリートブロック２ａ〜２ｃ及び第３コンクリートブロック４は、第１の実施の形態の第１コンクリートブロック２ａ〜２ｄと同様のアンカー筋３１、３２（図示せず）とコンクリート体８とからなる一体化手段で一体化されている。
【００８５】
第３コンクリートブロック４は上記の様に構成されているため、第３コンクリートブロック４の第３前壁５４は、第１コンクリートブロック２ａの第１前壁２１より距離Ｘ１だけ前方に位置することになる。従って、第１の実施の形態による最下段がコンクリートブロック２ａのものに比べて擁壁４０の底板面積が増加するため、擁壁４０に作用する地盤反力が低下する。尚、この実施の形態による擁壁４０は、擁壁４０の前方に土地の余裕がある場合に施工することが望ましい。
【００８６】
第１コンクリートブロック２ａ〜２ｃ、第２コンクリートブロック３ａ、３ｂ及び第３コンクリートブロック４は、上記の様に形成されており、強度上の種々の設定条件については第１の実施の形態と同様であるが、最下段が前方に突出した第３コンクリートブロック４となるため、より経済的な擁壁４０となる。
【００８７】
尚、この擁壁４０の施工順序は、第１の実施の形態によるものと基本的に同一であるので、ここでの説明は繰り返さない。
【００８８】
図１２はこの発明の第５の実施の形態によるコンクリートブロック積み擁壁の施工断面図である。
【００８９】
これらの図を参照して、擁壁５０は、３段設置された第１コンクリートブロック２ａ〜２ｃと、最上段の第１コンクリートブロック２ｃの上部に、２段設置された第２コンクリートブロック３ａ、３ｂと、最下段の第１コンクリートブロック２ａと基礎コンクリート６との間に１段設置された第３コンクリートブロック４とを備えている。そして、最上段に位置する第２コンクリートブロック３ｂの上部に、歩道面１４及び車道面１５等の道路施設が形成されている。
【００９０】
第１コンクリートブロック２ａ〜２ｃは、第２の実施の形態による第１コンクリートブロック２ｂ〜２ｄと同一形状である。又、第２コンクリートブロック３ａ、３ｂは、先の第２の実施の形態による第２コンクリートブロック３ａ、３ｂと同一形状である。
【００９１】
第３コンクリートブロック４は、第１コンクリートブロック２ａ〜２ｃの最下段に位置する第１コンクリートブロック２ａと同一形状を有している。そして、第３コンクリートブロック４の第３後壁５５と、第１コンクリートブロック２ａ〜２ｃの第１後壁２２の各々とは、第２の実施の形態と同様に階段状に形成されている。更に、第１コンクリートブロック２ａ〜２ｃ及び第３コンクリートブロック４は、第２の実施の形態の第１コンクリートブロック２ａ〜２ｄと同様のアンカー筋３１、３２（図示せず）とコンクリート体８とからなる一体化手段で一体化されている。
【００９２】
第３コンクリートブロック４は上記の様に構成されているため、第３コンクリートブロック４の第３前壁５４は、第１コンクリートブロック２ａの第１前壁２１より距離Ｘ２だけ前方に位置することになる。従って、第２の実施の形態による最下段がコンクリートブロック２ａのものに比べて擁壁５０の底板面積が増加するため、擁壁５０に作用する地盤反力が低下する。尚、この実施の形態による擁壁５０は、擁壁５０の前方に土地の余裕がある場合に施工することが望ましい。
【００９３】
第１コンクリートブロック２ａ〜２ｃ、第２コンクリートブロック３ａ、３ｂ及び第３コンクリートブロック４は、上記の様に形成されており、強度上の種々の設定条件については第２の実施の形態と同様であるが、最下段が前方に突出した第３コンクリートブロック４となるため、より経済的な擁壁５０となる。
【００９４】
尚、この擁壁５０の施工順序は、第２の実施の形態によるものと基本的に同一であるので、ここでの説明は繰り返さない。
【００９５】
図１３はこの発明の第６の実施の形態によるコンクリートブロック積み擁壁の施工断面図である。
【００９６】
これらの図を参照して、擁壁６０は、３段設置された第１コンクリートブロック２ａ〜２ｃと、最上段の第１コンクリートブロック２ｃの上部に、２段設置された第２コンクリートブロック３ａ、３ｂと、最下段の第１コンクリートブロック２ａと基礎コンクリート６との間に１段設置された第３コンクリートブロック４とを備えている。そして、最上段に位置する第２コンクリートブロック３ｂの上部に、歩道面１４及び車道面１５等の道路施設が形成されている。
【００９７】
第１コンクリートブロック２ａ〜２ｃは、第３の実施の形態による第１コンクリートブロック２ａ〜２ｃと同一形状である。又、第２コンクリートブロック３ａ、３ｂは、第３の実施の形態による第２コンクリートブロック３ａ、３ｂと同一形状である。
【００９８】
第３コンクリートブロック４は、第１コンクリートブロック２ａ〜２ｃの最下段に位置する第１コンクリートブロック２ａと同一形状を有している。そして、第３コンクリートブロック４の第３後壁５５は、第１コンクリートブロック２ａの第１後壁２２に整列するように配置されている。更に、第１コンクリートブロック２ａ〜２ｃ及び第３コンクリートブロック４は、第３の実施の形態の第１コンクリートブロック２ａ〜２ｄと同様の空間４６とコンクリート体８とからなる一体化手段で一体化されている。
【００９９】
第３コンクリートブロック４は上記の様に構成されているため、第３コンクリートブロック４の第３前壁５４は、第１コンクリートブロック２ａの第１前壁２１より距離Ｘ３だけ前方に位置することになる。従って、第３の実施の形態による最下段がコンクリートブロック２ａのものに比べて擁壁６０の底板面積が増加するため、擁壁６０に作用する地盤反力が低下する。尚、この実施の形態による擁壁６０は、擁壁６０の前方に土地の余裕がある場合に施工することが望ましい。
【０１００】
第１コンクリートブロック２ａ〜２ｃ、第２コンクリートブロック３ａ、３ｂ及び第３コンクリートブロック４は、上記の様に形成されており、強度上の種々の設定条件については第３の実施の形態と同様であるが、最下段が前方に突出した第３コンクリートブロック４となるため、より経済的な擁壁６０となる。
【０１０１】
尚、この擁壁６０の施工順序は、第３の実施の形態によるものと基本的に同一であるので、ここでの説明は繰り返さない。
【０１０２】
尚、上記の第１、第２、第４及び第５の実施の形態では、各第１コンクリートブロックの第１後壁の後方面に特定形状のアンカー筋がブロック毎に２本取り付けられているが、アンカー筋は他の形状であっても良い。又、アンカー筋の本数は少なくとも１本あれば良い。
【０１０３】
又、上記の第３及び第６の実施の形態では、第１後壁と第１控え壁とは第１側壁及び第２側壁によって接続されているが、第１後壁と第１控え壁とを接続出来るものであれば、他のものであっても良い。
【０１０４】
更に、上記の各実施の形態では、擁壁を構成する各コンクリートブロックの積み段数を特定しているが、段数は擁壁の高さや土圧に対する設定等に応じて任意に決めれば良いことは言うまでもない。
【０１０５】
更に、上記の各実施の形態では、上下の第１コンクリートブロックを一体化させる一体化手段が特定されているが、上下の第１コンクリートブロックの各々の第１後壁の後方側に形成され、第１後壁の各々を上下に一体化させるものであれば、他の一体化手段であっても良い。
【０１０６】
更に、上記の各実施の形態では、一体化手段としてコンクリート体を含むものであるが、コンクリート体の内部に、例えば、鉄筋やＰＣ鋼棒を配置させ、上下の第１コンクリート体の一体化を促進させても良い。
【０１０７】
更に、上記の各実施の形態では、第１コンクリートブロックの上部に第２コンクリートブロックが設置されているが、第２コンクリートブロックは無くても良く、第１コンクリートブロックの上部に直接道路施設として歩道面や車道面を形成しても良い。
【０１０８】
更に、上記の各実施の形態では、各コンクリートブロックに底板が形成されているが、底板は無くても良い。
【０１０９】
更に、上記の各実施の形態では、第２側壁の凸部に特定形状の凹み部が形成されているが、凸部の中央部に形成された凹み部であれば、平面視丸形状等、他の形状であっても良い。又は、凹み部は無くても良い。
【０１１０】
更に、上記の各実施の形態では、凹部及び凸部は特定形状に形成されているが、凹部は上下方向に延び、凸部は上下方向に延びると共に、凹部の水平方向において係合出来ると共に、凸部の水平方向の高さが凹部の水平方向の深さより低く形成されていれば、他の形状であっても良い。
【０１１１】
更に、上記の各実施の形態では、隣接する同一段のコンクリートブロックにおいては、一方の第１側壁の凹部と他方の第２側壁の凸部とが係合すると共に、一方の第１側壁と他方の第２側壁との間にコンクリートが充填されて一体化されているが、例えば、一方の第１側壁と他方の第２側壁とに凹部を形成し、一方の凹部と他方の凹部との間にコンクリートを充填する等、第１側壁及び第２側壁を他の形状に形成して一体化しても良い。
【図面の簡単な説明】
【０１１２】
【図１】この発明の第１の実施の形態によるコンクリートブロック積み擁壁の施工断面図である。
【図２】図１で示した擁壁の一部の概略構造を示した斜視図である。
【図３】図１で示した擁壁に用いられているコンクリートブロックの一部の概略構造を示した斜視図である。
【図４】図１で示したＩＶ−ＩＶラインの拡大断面図である。
【図５】図１で示した擁壁の施工効果を説明するための概略側面図である。
【図６】この発明の第２の実施の形態によるコンクリートブロック積み擁壁の施工断面図である。
【図７】図６で示した擁壁に用いられているコンクリートブロックの一部の概略構造を示した斜視図である。
【図８】この発明の第３の実施の形態によるコンクリートブロック積み擁壁の施工断面図である。
【図９】図８で示した擁壁の一部の概略構造を示した斜視図である。
【図１０】図８で示した擁壁に用いられているコンクリートブロックの一部の概略構造を示した斜視図である。
【図１１】この発明の第４の実施の形態によるコンクリートブロック積み擁壁の施工断面図である。
【図１２】この発明の第５の実施の形態によるコンクリートブロック積み擁壁の施工断面図である。
【図１３】この発明の第６の実施の形態によるコンクリートブロック積み擁壁の施工断面図である。
【図１４】従来のコンクリートブロック積み擁壁の施工断面図である。
【図１５】図１４で示した擁壁の一部の概略構造を示した斜視図である。
【図１６】図１４で示した擁壁に用いられているコンクリートブロックの一部の概略構造を示した斜視図である。
【符号の説明】
【０１１３】
１、２０、３０、４０、５０、６０…擁壁
２、３、４…コンクリートブロック
８…コンクリート体
９…コンクリート
２１、５１、５４…前壁
２２、５２、５５…後壁
２３…側壁
２５…凹部
２６…凸部
２９…控え後壁
３１、３２…アンカー筋
４１…凹み部
４６…空間
尚、各図中同一符号は同一又は相当部分を示す。
【図１】
2010126927.tif 000003
【図２】
2010126927.tif 000004
【図３】
2010126927.tif 000005
【図４】
2010126927.tif 000006
【図５】
2010126927.tif 000007
【図６】
2010126927.tif 000008
【図７】
2010126927.tif 000009
【図８】
2010126927.tif 000010
【図９】
2010126927.tif 000011
【図１０】
2010126927.tif 000012
【図１１】
2010126927.tif 000013
【図１２】
2010126927.tif 000014
【図１３】
2010126927.tif 000015
【図１４】
2010126927.tif 000016
【図１５】
2010126927.tif 000017
【図１６】
2010126927.tif 000018